(57)【要約】  【課題】第１昇降杆に対して第２昇降杆を容易に着脱できる三脚を提供する。  【解決手段】三脚１の昇降体４は、第１昇降杆21と、第１昇降杆21に着脱可能に設けた第２昇降杆22とを有する。第１昇降杆21の下端部には上下に並んだ複数の嵌合溝からなる嵌合受け部を形成する。第２昇降杆22の上端部には上下に並んだ複数の嵌合溝からなり嵌合受け部と嵌脱可能に嵌合する嵌合部を形成する。第２昇降杆22の取付け時には、第２昇降杆22を略６０度回動操作して嵌合部と嵌合受け部と嵌合させる。第２昇降杆22の取外し時には、第２昇降杆22を略６０度回動操作して嵌合部と嵌合受け部との嵌合を解除する。  【選択図】図１
2006336782.tif 000002
【特許請求の範囲】
【請求項１】
基体と、
この基体に回動可能に設けられた脚体と、
前記基体に昇降可能に設けられた昇降体とを備え、
前記昇降体は、
第１昇降杆と、
この第１昇降杆に着脱可能に設けられた第２昇降杆とを有し、
前記第１昇降杆の下端部には、上下に並んだ複数の嵌合溝にて構成された嵌合受け部が形成され、
前記第２昇降杆の上端部には、上下に並んだ複数の嵌合溝にて構成され前記嵌合受け部と嵌脱可能に嵌合する嵌合部が形成されており、
前記第２昇降杆の取付け時には、前記第２昇降杆が１８０度以下の所定回動角度だけ一方向へ回動操作されることにより、前記嵌合部が前記嵌合受け部と嵌合し、
前記第２昇降杆の取外し時には、前記第２昇降杆が１８０度以下の所定回動角度だけ他方向へ回動操作されることにより、前記嵌合部と前記嵌合受け部との嵌合が解除される
ことを特徴とする三脚。
【請求項２】
第２昇降杆は、取外し禁止位置および取外し許容位置に移動する操作部を有し、
前記第２昇降杆の取外し時には、前記操作部が取外し許容位置に移動操作された状態のまま、前記第２昇降杆が１８０度以下の所定回動角度だけ他方向へ回動操作されることにより、嵌合部と嵌合受け部との嵌合が解除される
ことを特徴とする請求項１記載の三脚。
【請求項３】
嵌合受け部は、第１昇降杆の下端部の内周側に形成され、
嵌合部は、第２昇降杆の上端部の外周側に形成されている
ことを特徴とする請求項１または２記載の三脚。
【請求項４】
嵌合受け部は、雌ねじ部の一部にて構成され、
嵌合部は、前記雌ねじ部と螺合する雄ねじ部の一部にて構成されている
ことを特徴とする請求項３記載の三脚。
【発明の詳細な説明】
【技術分野】
【０００１】
本発明は、第１昇降杆に対して第２昇降杆を容易に着脱できる三脚に関するものである。
【背景技術】
【０００２】
従来、例えば基体の脚体保持部に回動可能に設けられた３本の脚体と、基体の昇降体挿通孔部に昇降可能に設けられ上端の雄ねじに雲台或いはカメラ等が螺着される１本の略棒状の昇降体（センターコラム）とを備えた三脚が知られている（例えば、特許文献１参照）。そして、例えばローアングルでの撮影を可能とするために、昇降体が下端部内周側にねじ部を有する第１昇降杆（アッパーコラム）と上端部外周側にねじ部を有し第１昇降杆に対して螺着される第２昇降杆（ロアーコラム）とにて構成されたセンターコラム分割式の三脚がある。
【特許文献１】特開２００１−６５７８６号公報
【発明の開示】
【発明が解決しようとする課題】
【０００３】
しかしながら、従来のセンターコラム分割式の三脚では、第１昇降杆に対する第２昇降杆の着脱時に、第２昇降杆を複数回、例えば多いもので２０回以上、回転操作しなければならず、第２昇降杆の着脱に手間取るという問題がある。
【０００４】
本発明は、このような点に鑑みなされたもので、第２昇降杆を容易に着脱できる三脚を提供することを目的とする。
【課題を解決するための手段】
【０００５】
請求項１記載の三脚は、基体と、この基体に回動可能に設けられた脚体と、前記基体に昇降可能に設けられた昇降体とを備え、前記昇降体は、第１昇降杆と、この第１昇降杆に着脱可能に設けられた第２昇降杆とを有し、前記第１昇降杆の下端部には、上下に並んだ複数の嵌合溝にて構成された嵌合受け部が形成され、前記第２昇降杆の上端部には、上下に並んだ複数の嵌合溝にて構成され前記嵌合受け部と嵌脱可能に嵌合する嵌合部が形成されており、前記第２昇降杆の取付け時には、前記第２昇降杆が１８０度以下の所定回動角度だけ一方向へ回動操作されることにより、前記嵌合部が前記嵌合受け部と嵌合し、前記第２昇降杆の取外し時には、前記第２昇降杆が１８０度以下の所定回動角度だけ他方向へ回動操作されることにより、前記嵌合部と前記嵌合受け部との嵌合が解除されるものである。
【０００６】
請求項２記載の三脚は、請求項１記載の三脚において、第２昇降杆は、取外し禁止位置および取外し許容位置に移動する操作部を有し、前記第２昇降杆の取外し時には、前記操作部が取外し許容位置に移動操作された状態のまま、前記第２昇降杆が１８０度以下の所定回動角度だけ他方向へ回動操作されることにより、嵌合部と嵌合受け部との嵌合が解除されるものである。
【０００７】
請求項３記載の三脚は、請求項１または２記載の三脚において、嵌合受け部は、第１昇降杆の下端部の内周側に形成され、嵌合部は、第２昇降杆の上端部の外周側に形成されているものである。
【０００８】
請求項４記載の三脚は、請求項３記載の三脚において、嵌合受け部は、雌ねじ部の一部にて構成され、嵌合部は、前記雌ねじ部と螺合する雄ねじ部の一部にて構成されているものである。
【発明の効果】
【０００９】
請求項１に係る発明によれば、第２昇降杆の取付け時には、第２昇降杆が１８０度以下の所定回動角度だけ一方向へ回動操作されることにより嵌合部が嵌合受け部と嵌合し、第２昇降杆の取外し時には、第２昇降杆が１８０度以下の所定回動角度だけ他方向へ回動操作されることにより嵌合部と嵌合受け部との嵌合が解除される構成であるから、第１昇降杆に対する第２昇降杆の着脱時に第２昇降杆を複数回回転させる必要がなく、第２昇降杆を容易に着脱できる。
【００１０】
請求項２に係る発明によれば、操作部を取外し許容位置に移動操作しない限り、第２昇降杆を第１昇降杆から取り外すことができないため、不用意に第２昇降杆が取れてしまう不具合を防止できる。
【００１１】
請求項３に係る発明によれば、第１昇降杆の下端部の内周側に形成された嵌合受け部と第２昇降杆の上端部の外周側に形成された嵌合部との嵌合によって、第２昇降杆を第１昇降杆に適切に取り付けることができる。
【００１２】
請求項４に係る発明によれば、嵌合受け部を雌ねじ部の一部にて構成し、嵌合部をその雌ねじ部と螺合する雄ねじ部の一部にて構成したため、第２昇降杆をより一層容易にかつ適切に着脱できる。
【発明を実施するための最良の形態】
【００１３】
本発明の三脚の一実施の形態を図面を参照して説明する。
【００１４】
図１および図２において、１は三脚で、この三脚１は、基体２と、基体２に水平方向の回動中心軸線を中心として回動可能に設けられた３本の脚体３と、基体２に昇降可能に設けられた１本の略棒状の昇降体（分割式のセンターコラム）４と、基体２に回動可能に設けられ基体２に対して昇降体４を所望位置にロックするロック用操作レバー体５とを備えている。
【００１５】
基体２は、略１２０度間隔になるように形成された３つの脚体保持部11を有し、各脚体保持部11には複数本、例えば４本の脚部材12にて構成された長さ調節可能な略棒状の脚体３が水平方向の回動中心軸線を中心として回動可能に取り付けられている。
【００１６】
また、基体２は、上下面に貫通した昇降体挿通孔部13を有し、この昇降体挿通孔部13には図示しない雲台或いはカメラ等を支持する２つに分割可能な略棒状の昇降体４が昇降可能に挿通されている。
【００１７】
ここで、昇降体４は、例えば２分割式のセンターコラムで、図１ないし図３に示すように、基体２の昇降体挿通孔部13に昇降可能に挿通された略棒状で下面開口状の第１昇降杆（アッパーコラム）21と、第１昇降杆21の下端部に着脱可能に設けられこの第１昇降杆21を延長する略棒状の第２昇降杆（ロアーコラム）22とを有している。なお、第２昇降杆22は、ローアングル撮影の際に第１昇降杆21から取り外される（図２参照）。
【００１８】
第１昇降杆21は、図３に示されるように、上下面を開口した略円筒状の筒状部材31と、この筒状部材31の上端部に螺着され筒状部材31の上面開口を閉鎖する閉鎖部材32と、この閉鎖部材32の中央部に螺着され図示しない雲台或いはカメラ等が装着される雄ねじ部材33とを有している。
【００１９】
また、第１昇降杆21の筒状部材31の下端部の内周側には、周方向に等間隔をおいた複数箇所の位置、例えば３箇所の位置に、上下に並んだ互いに略平行状の複数の嵌合溝34にて構成された嵌合受け部35がそれぞれ形成されている。各嵌合受け部35は、ねじ部（例えばリードが１ｍｍ程度のねじ）の一部、例えばねじ部である雌ねじ部を周方向に６等分した場合におけるその１つにて構成されている。なお、筒状部材31の下端部の外周側には、位置合わせ用の目印36が付されている。
【００２０】
第２昇降杆22は、上下面を開口した略円筒状の筒状部材41を有し、この筒状部材41の下端部には閉鎖部材42が螺着され、この閉鎖部材42にて筒状部材41の下面開口が閉鎖されている。筒状部材41の上端部近傍には、上下方向にやや長手状の長孔部43が形成されている。筒状部材41の上端部の外周側には、第１昇降杆21の目印36と対応する位置合わせ用の目印44が長孔部43の上方位置に付されている。
【００２１】
また、筒状部材41の上端部には、略円筒状の嵌合部材46が螺着されている。嵌合部材46の下部外周側には、筒状部材41の上端部の内周側に形成されたねじ部47に螺合するねじ部48が形成されている。嵌合部材46の上部外周側（第２昇降杆22の上端部の外周側）には、周方向に等間隔をおいた複数箇所の位置、例えば３箇所の位置に、上下に並んだ略平行状の複数の嵌合溝49にて構成され第１昇降杆21の下端部の内周側の嵌合受け部35と嵌脱可能に嵌合する嵌合部50がそれぞれ形成されている。各嵌合部50は、第１昇降杆21の嵌合受け部35と同様、ねじ部（例えばリードが１ｍｍ程度のねじ）の一部、例えばねじ部である雄ねじ部を周方向に６等分した場合におけるその１つにて構成され、各嵌合部50の上縁部が略Ｖ字状に形成されている。また、嵌合部材46の上部外周側には、隣り合う嵌合部間の各位置に略Ｖ字状の受け段部51がそれぞれ形成されている。
【００２２】
そして、筒状部材41と嵌合部材46との内側には、移動部材56が昇降可能に配設されている。移動部材56は、下部外周側に取外し禁止位置および取外し許容位置に移動する操作部55を有し、この操作部55は筒状部材41の長孔部43内において上側の取外し禁止位置と下側の取外し許容位置との間で上下方向に移動可能となっている。移動部材56は、コイルばね等の付勢部材57にて下方に向けて付勢されており、操作部55の操作が解除されると操作部55が付勢部材57の付勢力で取外し禁止位置に移動する。
【００２３】
また、移動部材56の上端部における上下方向の軸部58には、操作部55が取外し禁止位置に位置した状態時に第１昇降杆21に対する第２昇降杆22の回動を規制する規制部材61がその軸部58を中心として回動可能に設けられている。規制部材61は上下のリング62，63間に配設され、抜止め部材64にて軸部58から上方に抜け出ないようになっている。
【００２４】
規制部材61は、円形環状の環状板部65と、この環状板部65の外周縁部における周方向に等間隔をおいた複数箇所の位置、例えば３箇所の位置から下方に向って一体に突出したやや湾曲状の突出部である突出板部66とにて構成されている。各突出板部66の下縁部が略Ｖ字状に形成されている。なお、移動部材56、付勢部材57および規制部材61等にて安全装置70が構成されている。
【００２５】
そして、このような安全装置70を備えた分割式の昇降体４では、第１昇降杆21への第２昇降杆22の取付け時には、第１昇降杆21の下端部内に第２昇降杆22の上端部が挿入された状態で第２昇降杆22が第１昇降杆21に対して１８０度以下の所定回動角度、例えば略６０度だけ一方向（時計回り）へ回動操作されることにより、３つの嵌合部50が対応する３つの嵌合受け部35と一斉に嵌合し、この嵌合によって第２昇降杆22が第１昇降杆21に取り付けられる。
【００２６】
また、第１昇降杆21からの第２昇降杆22の取外し時には、操作部55が指先の押圧により付勢部材57の付勢力に抗して取外し許容位置に移動操作された状態のまま、第２昇降杆22が第１昇降杆21に対して１８０度以下の所定回動角度、例えば略６０度だけ他方向（反時計回り）へ回動操作されることにより、３つの嵌合部50と３つの嵌合受け部35との嵌合が一斉に解除され、第２昇降杆22を第１昇降杆21から取り外すことが可能となる。
【００２７】
次に、上記三脚１の作用等について説明する。
【００２８】
ローアングル撮影のために、第２昇降杆22を第１昇降杆21から取り外す場合には、まず、図４および図５に示すように、親指等の指先で第２昇降杆22の操作部55を付勢部材57の付勢力に抗して押し上げるように取外し禁止位置から取外し許容位置まで移動操作することにより、規制部材61の突出板部66の下縁部を嵌合部材46の受け段部51から離し、その突出板部66の下縁部を嵌合部50の上縁部より上方の位置まで移動させる。
【００２９】
続いて、図６および図７に示すように、操作部55の押上げによりその操作部55を取外し許容位置に位置させた状態のまま、第１昇降杆21に対して第２昇降杆22の筒状部材41を略６０度だけ反時計回りへ回動操作する。すると、嵌合部材46および移動部材56が筒状部材41とともに略６０度の角度をもって反時計回りへ回動し、その結果、第２昇降杆22の３つの嵌合部50と第１昇降杆21の３つの嵌合受け部35との嵌合が一斉に解除され、各嵌合部50が隣り合う嵌合受け部35間に位置した状態になる（図７参照）。
【００３０】
この回動操作の際、規制部材61は停止したままであり、嵌合部材46等が略６０度回動した時点で、規制部材61の突出板部66は嵌合部50の真上に位置する。操作部55から指先を離すと、付勢部材57の付勢力に基いて移動部材56が規制部材61とともに下方へ移動し、規制部材61の突出板部66の下縁部が嵌合部50の上縁部に当接係合する。
【００３１】
そして、第１昇降杆21の３つの嵌合受け部35と第２昇降杆22の嵌合部50との嵌合解除後、図２、図８および図９に示すように、第２昇降杆22全体を下方へ移動操作して第２昇降杆22の上端部を第１昇降杆21の下端部内から出すことにより、第２昇降杆22を第１昇降杆21から取り外すことができる。
【００３２】
このように操作部55を取外し許容位置に移動操作した状態で、第２昇降杆22を略６０度反時計回りへ回動操作することにより、嵌合部50と嵌合受け部35との嵌合を解除でき、第２昇降杆22を第１昇降杆21から取り外すことができる。なお、操作部55が取外し禁止位置に位置した状態では、第１昇降杆21に対して第２昇降杆22を略６０度回動させることができず、嵌合部50と嵌合受け部35との嵌合が維持される。
【００３３】
一方、取り外した第２昇降杆22を第１昇降杆21に取り付ける場合には、操作部55を押上げ操作することなく、第１昇降杆21の目印36と第２昇降杆22の目印44とを上下に合わせた後、第２昇降杆22の上端部（筒状部材41の上端より上方に突出した部分）を第１昇降杆21の下端部内に挿入する。
【００３４】
この挿入後、第１昇降杆21に対して第２昇降杆22の筒状部材41を略６０度だけ時計回りへ回動操作すると、嵌合部材46および移動部材56が筒状部材41とともに略６０度の角度をもって時計回りへ回動し、その結果、第２昇降杆22の３つの嵌合部50が第１昇降杆21の３つの嵌合受け部35と一斉に嵌合し、この嵌合により第２昇降杆22が第１昇降杆21に対して固定的に取り付けられる。
【００３５】
この回動操作の際、規制部材61は停止したままであり、嵌合部材46等が略６０度回動した時点で、規制部材61の突出板部66が嵌合部50上から離れる。突出板部66が嵌合部50上から離れると、付勢部材57の付勢力に基いて移動部材56が規制部材61とともに下方へ移動し、規制部材61の突出板部66の下縁部が受け段部51に当接係合する（図４参照）。
【００３６】
このように三脚１によれば、第２昇降杆22の取付け時には、第２昇降杆22が１８０度以下の所定回動角度、例えば略６０度だけ一方向へ回動操作されることにより嵌合部50が嵌合受け部35と嵌合し、第２昇降杆22の取外し時には、操作部55が取外し許容位置に移動操作された状態のまま、第２昇降杆22が１８０度以下の所定回動角度、例えば略６０度だけ他方向へ回動操作されることにより嵌合部50と嵌合受け部35との嵌合が解除される構成であるから、従来のように第１昇降杆21に対する第２昇降杆22の着脱時に第２昇降杆22を複数回回転させる必要がなく、第１昇降杆21に対して第２昇降杆22を容易に着脱できる。
【００３７】
また、第２昇降杆22の操作部55を取外し許容位置に押し上げるように移動操作しない限り、第１昇降杆21に対して第２昇降杆22を略６０度回動させることができず、嵌合部50と嵌合受け部35との嵌合が維持されるため、不用意に第２昇降杆22が第１昇降杆21から取れてしまう不具合を防止でき、携帯時等における安全性に優れている。
【００３８】
なお、上記実施の形態では、第２昇降杆22の操作回動角である１８０度以下の所定回動角度を略６０度（嵌合受け部35および嵌合部50の数がそれぞれ３つ）に設定した場合について説明したが、例えば略９０度（嵌合受け部35および嵌合部50の数がそれぞれ２つ）や略１８０度（嵌合受け部35および嵌合部50の数がそれぞれ１つ）等に設定することもできる。
【００３９】
また、嵌合受け部35が第１昇降杆21の下端部内周側に形成され嵌合部50が第２昇降杆22の上端部外周側に形成された構成には限定されず、例えば嵌合受け部35が第１昇降杆21の下端部外周側に形成され嵌合部50が第２昇降杆22の上端部内周側に形成された構成等でもよい。
【図面の簡単な説明】
【００４０】
【図１】本発明の三脚の一実施の形態の斜視図である。
【図２】同上三脚の第２昇降杆を第１昇降杆から取り外した状態の斜視図である。
【図３】同上三脚の昇降体の分解斜視図である。
【図４】同上三脚の第２昇降杆を第１昇降杆から取り外す場合の説明図である。
【図５】図４に続く説明図である。
【図６】図５に続く説明図である。
【図７】図６に続く説明図である。
【図８】図７に続く説明図である。
【図９】図８に続く説明図である。
【符号の説明】
【００４１】
１    三脚
２    基体
３    脚体
４    昇降体
21    第１昇降杆
22    第２昇降杆
34    嵌合溝
35    嵌合受け部
49    嵌合溝
50    嵌合部
55    操作部
【図１】
2006336782.tif 000003
【図２】
2006336782.tif 000004
【図３】
2006336782.tif 000005
【図４】
2006336782.tif 000006
【図５】
2006336782.tif 000007
【図６】
2006336782.tif 000008
【図７】
2006336782.tif 000009
【図８】
2006336782.tif 000010
【図９】
2006336782.tif 000011